(57)【要約】【課題】ハンディターミナルに内蔵されているバーコード読取機を用いたバーコード読取作業において、正面での読み取りが出来ない狭い場所でのバーコード読み取りを可能とできる機能を実現する。【解決手段】液晶表示面にほぼ平行にレーザー光を出射し、バーコードで反射したレーザー光を受け入れるバーコード読取機が内蔵されたハンディターミナル本体２において、出射するレーザー光１Ａ、１Ｂに対し、方位角度と傾斜角度を可動できる反射板１１からなる反射面１１Ａを前方に保護取り付部材１７を介して取り付けた。【選択図】図１
2013239135.tif 000002
【特許請求の範囲】
【請求項１】
液晶表示面にほぼ平行にレーザー光を出射し、バーコードで反射したレーザー光を受け入れるレーザー光出入口を備えたバーコード読取機が内蔵されたハンディターミナルにおいて、前記レーザー光出入口から出射するレーザー光に対し、方位角度を付けられる反射面からなる反射板を設けたことを特徴とするバーコード読取機内蔵のハンディターミナル。
【請求項２】
前記反射板は、少なくとも方位角度を付けられる反射板が９０度以上回転することを特徴とする、請求項１に記載のバーコード読取機内蔵のハンディターミナル。
【請求項３】
前記ハンディターミナルに取り付けた反射板は、レーザー光出入口から出射するレーザー光に対し、傾斜角度を付けられる反射面からなる反射板を設けたことを特徴とするバーコード読取機内蔵のハンディターミナル。
【請求項４】
前記反射板は方位部材、取り付部材を介して前記ハンディターミナル本体に取り付けられている。反射板は落下時の衝撃を緩和することを特徴とする請求項２または請求項３のバーコード読取機内蔵のハンディターミナル。
【発明の詳細な説明】
【技術分野】
【０００１】  本発明は、部品、機器等に付されたバーコードのコード情報を読み取るためのレーザー光のスキャナユニットを搭載したハンディターミナルに関するものである。
【背景技術】
【０００２】  バーコード読取機内蔵のハンディターミナルは、現在、病院、店舗、工場等において広く使用されている。例えば、病院内では、患者に投与する薬剤の容器に、患者や処置方法等の情報が入力されたバーコードが貼付されており、このバーコードをハンディターミナルに内蔵されているバーコード読取機でスキャンして、投与する薬剤の取り違いがないかの事前のチェックが行われている。店舗では、在庫商品の入出庫を管理するために、商品の入った箱等にバーコードが貼付される。また、工場等では機器、配管等にバーコードが貼られ、運転管理、メンテナンス管理が行われるようになってきた。【０００３】  工場等では制御盤の盤内に開閉器、リレー等の機器が正面、下面以外の上面、側面にも取り付けられており、バーコードが貼られている。【０００４】  従来は正面以外にレーザー光出入口を下方にバーコードを向けなくてもレーザー光を照射できる手段として、例えば、特開２００５−０１１０６９号において、バーコードスキャナー装置のスキャナー装置本体に、反射角度の調節が可能な鏡を設けたものが開示されている。【０００５】  これらはバーコード貼り付けた対象物が移動できる場合または移動できない対象物に貼り付けたバーコードをハンディターミナルの正面又は下面から読み込むことができる場合に使用できる。
【先行技術文献】
【特許文献】
【０００６】
【特許文献１】特開２００５−０１１０６９号公報
【発明の概要】
【発明が解決しようとする課題】
【０００７】  しかしながら、前記方式のハンディターミナルは正面又は下面の照射のみとなっており、ハンディターミナルを側面方向に照射することが出来ない。側面にレーザー光を照射する場合、ハンディターミナルの読み取りを大きく変更した方向にしなければならず、盤内や狭い場所ではバーコードの読み取りができない問題点がある。【０００８】  本発明は、かかる問題点を解決するため、レーザー光の反射面を備えた反射板を取り付けたハンディターミナルにおいて、レーザー光出入口からレーザー光が照射された場合に、前方の上下左右方向に反射できる機能を有することで、方向的に読み取りが困難なバーコードの読取作業を可能にすることを目的とするものである。
【課題を解決するための手段】
【０００９】  右方向の側面に貼りつけられたバーコードの読み取りでの前記課題を解決するための手段として、本発明は、液晶表示面にほぼ平行にレーザー光を出射し、バーコードで反射したレーザー光を受け入れるレーザー光出入口を備えたバーコード読取機が内蔵されたハンディターミナルにおいて、前記レーザー光出入口から出射するレーザー光に対して、反射面を垂直な角度を方位角０度とすると。例えば６０度にした反射板を前記レーザー光出入口の前方に光反射取り付ユニットを取り付けたものである。【００１０】  前記反射板は、方位角を９０度回転させることができるので、反射板でレーザー光を反射させることなく、正面のバーコードを読み取ることができる。【００１１】  側面上下方向の読み取りの前記課題を解決するための手段として、本発明は、液晶表示面にほぼ平行にレーザー光を出射し、バーコードで反射したレーザー光を受け入れるレーザー光出入口を備えたバーコード読取機が内蔵されたハンディターミナルにおいて、前記レーザー光出入口から出射するレーザー光に対して、反射面を方位角、例えば６０度にした反射板を、さらに傾斜角を前方、後方に回転させることができる。レーザー光の照射方向に対して反射面を垂直な角度を傾斜角０度とすると、例えば３０度にした反射板を前記レーザー光出入口の前方に光反射取り付ユニットを取り付けたものである。【００１２】  本発明が以上のように構成されていることにより、ハンディターミナル本体のレーザー光出入口から出射されたレーザー光は、反射板で反射し、バーコードに照射される。また、このバーコードに照射されて反射したレーザー光の一部は、前記反射板で反射してレーザー光出入口に戻るので、レーザー光出入口をバーコードに向けずに、バーコードの読取作業ができる。【００１３】  前記光反射取り付ユニットは、前記ハンディターミナル本体に取り付けた保護取り付部と、前記反射板を取り付けた方位部と傾斜部で構成されている。【００１４】  前記反射板で反射するレーザー光の反射角度を自由に変更することができる。これにより、適切な方位角度と傾斜角度を設定して、レーザー光を照射することが可能となる。【００１５】  前記反射板で反射するレーザー光は右側の側面の上下のみであるが、ハンディターミナル本体の液晶表示部を下にすることで左側面のバーコードを読むことができる。【００１６】  前記反射板は方位角０度、傾斜角０度の場合、レーザー光出入口を落下時の衝撃を緩和することができる。
【発明の効果】
【００１７】  以上の説明から明らかなように、本発明を実施すると、狭い場所でバーコードの読み取りが困難な位置に貼り付けられた場合でもレーザー光出入口をバーコードに向けずに、ハンディターミナル本体の幅さえあればバーコードの読取作業ができる。これにより、適正な読み取り角度が得られ、狭い場所でのバーコードの読取作業を行うことが可能となる。
【図面の簡単な説明】
【００１８】
【図１】本発明の実施形態のハンディターミナルの機能を示す斜視図である。
【図２】本発明の実施形態のハンディターミナルの反射板の機能を示す斜視図である。
【図３】本発明の実施形態のハンディターミナルの機能を示す正面図である。
【図４】従来技術の実施形態のハンディターミナルで機器設置盤の側面部品に貼りつけたバーコードを読み取っている状態を示す斜視図である。
【図５】図４の平面図である。
【図６】図４の正面図である。
【図７】本発明の実施形態のハンディターミナルで機器設置盤の側面部品に貼りつけたバーコードを読み取っている状態を示す平面図である。
【図８】図７の正面図である。
【発明を実施するための形態】
【００１９】  以下、添付の図面に従って、本発明の実施形態を説明するが、説明及び図示されたものに、本発明の実施形態が限定されるものではない。
【００２０】  図３は基本的な機能を示す。ハンディターミナル本体２から出射したレーザー光は反射板１１の反射面１１Ａで反射し、右側面前方にあるバーコード３１の読み取り側面３１Ａを読むことができる。
【００２１】図１に示したように、ハンディターミナル本体２は、長方形で、その表面に液晶表示面３を有し、先端部の中央付近にバーコード読取機が内蔵されている。ハンディターミナルは、液晶表示面３の面にほぼ平行にレーザー光を出射し、バーコード３１Ａで反射したレーザー光を受け入れるためのレーザー光出入口を、ハンディターミナル本体２の先端面に備えている。
【００２２】  反射板１１は方位部材１２、保護取り付部材１７を介して前記ハンディターミナル本体２に取り付けられている。反射板１１の反射面１１Ａは、ガラス、樹脂等の材質でミラーとしての機能を果たす。レーザー光出入口からの出射光１Ａ、１Ｂ及びバーコード３１Ａからの反射光は反射面１１Ａにて反射する。
【００２３】  方位部材１２は、２１方向から見て２３のように方位角を可動できる。反射板１１は２２方向から見て２４のように傾斜角を可動させることができる。反射板１１はその進行方向に対して、回転方向２３及び回転方向２４に可動できるようになっている。保護取り付部材１７は、ゴム、樹脂等の材質でありハンディターミナル本体２の先端部に取り付けられ、保護取り付け部材１７と一体となっている方位部材１２に取り付けられた反射板１１は前記レーザー光出入口の前方に位置する。
【００２４】  次に、前記構成からなるバーコード読取機内蔵のハンディターミナルを用いて、バーコードにレーザー光を照射した場合の反射板の機能について説明する。
【００２５】  図２に示すように、出射されたレーザー光の照射２５は反射面１１Ａで反射される。２３の角度を変えることで、レーザー光は照射方向が変わる。反射することで正面から側面方向に向きを変えることができる。  レーザー光は照射方向に対して反射板１１を２３Ｃの方位角度を約４５度にするとほぼ側面に対して垂直にレーザー光が照射されバーコードを読み取ることができる。また、２３Ｄの方位角度を約６０度にするとレーザー光は照射方向の側面前方にレーザー光が照射されバーコードを読み取ることができる。２３Ｅの角度を約９０度にすると反射板で反射しなくなり、レーザー光は照射方向が変わらず正面にレーザー光が照射されバーコードを読み取ることができる。
【００２６】  前記で反射板の方位角度を約４５度に変更した状態で、反射板の傾斜角を２４Ａ方向に回転すると反射後のレーザー光の照射方向はＺ軸の増方向である上方向へ移動する。
【００２７】  反射板の方位角４５度に変更した状態で、反射板の傾斜角を２４Ｂ方向に回転すると反射後のレーザー光の照射方向はＺ軸の減方向である下方向へ移動する。
【００２８】  なお、前記実施例では、方位部材１２をハンディターミナル本体２の先端部左端に設置しているがハンディターミナル本体２の先端部右端に設置することで、同様の機能を成し遂げることができる。この場合、レーザー光の照射方向は照射２５方向から見ると正面から左側面に照射方向が移動する。
【００２９】  前記実施例では、ハンディターミナル本体２の液晶表示面３を上面にしており、照射方向は右側面前方の上下付近のバーコードの読み取りとなる。ところが、ハンディターミナル本体２の液晶表示面３を下面にすると照射方向は左側面前方の上下付近のバーコードの読み取りができる。また、レーザー光を反射させないように反射板１１を２３Ｅのように方位角を９０度近い角度にすると反射しないので、正面に照射させることができる。よって、ほぼ前面方向の広範囲のバーコードを読み込むことができる。
【００３０】  また、前記実施例では、ハンディターミナル本体２の照射方向はハンディターミナル本体２の液晶表示面３とほぼ並行に照射されるとしているが、ハンディターミナル本体２の液晶表示面３と例えば１５度傾斜して読み取りを容易にしたレーザー光の照射角度を有するものもある。その場合は方位部材１２の回転軸を傾斜または反射板１１の回転方向２４の角度を傾斜角に合わすことで機能を発揮することができる。
【００３１】  反射板１１を収納する位置である方位角０度にすると、レーザー光出入口を保護することができ、落下時の衝撃を緩和することができる。
【００３２】  図４に示すように、従来技術の実施形態で制御盤等のボックス内に収納された右側面設置機器４３に貼り付けられている場合にハンディターミナル本体２によりバーコード３１を読み取っている斜面図である。
【００３３】  図５に示すように、図４の斜視図を上部から見た平面図で、従来技術の実施形態では機器設置盤内の正面部品４２によりバーコード３１の読み取り角度が鋭角となる。
【００３４】  図６に示すように、図４の斜視図を正面から見た正面図で、従来技術の実施形態である。
【００３５】  図７に示すように、本発明の実施形態で制御盤等のボックス内に収納された右側面設置機器４３に貼り付けられている場合にハンディターミナル本体２によりバーコード３１を読み取っている平面図で、バーコード３１に対してレーザー光がほぼ垂直に照射できる。
【００３６】  図８に示すように、図４の斜視図を正面から見た正面図で、本発明の実施形態である。
【符号の説明】
【００３７】１・・・ハンディターミナル本体から出射されたレーザー光
１Ａ・・・ハンディターミナル本体から出射された照射幅の左端レーザー光
１Ｂ・・・ハンディターミナル本体から出射された照射幅の右端レーザー光
１Ｃ・・・レーザー光の受光軸
２・・・レーザー光のスキャナユニットを搭載したハンディターミナル本体
３・・・ハンディターミナル本体の液晶表示面
１１・・・反射板
１１Ａ・・・反射板の反射面
１２・・・反射板の方位部材
１７・・・ハンディターミナル本体の保護を兼ねた保護取り付部材
２１・・・液晶表示面（ＸＹ平面）への目視方向
２２・・・反射板の傾斜回転軸及び目視方向
２３・・・Ｚ軸の回転
２３Ａ・・・２１方向から見た反時計方向で方位角が増方向
２３Ｂ・・・２１方向から見た時計方向で方位角が減方向
２３Ｃ・・・回転軸２３でレーザー光照射方向と垂直面である反射板の反射面１１Ａとの方位角（４５度程度）
２３Ｄ・・・回転軸２３でレーザー光照射方向と垂直面である反射板の反射面１１Ａとの方位角（６０度程度）
２３Ｅ・・・回転軸２３でレーザー光照射方向と垂直面である反射板の反射面１１Ａとの方位角（９０度程度）
２４・・・２２方向から見た反射板の回転方向
２４Ａ・・・２２方向から見た時計方向で傾斜角がプラス増（レーザー光を上方向に反射）
２４Ｂ・・・２２方向から見た反時計方向で傾斜角がマイナス増（レーザー光を下方向に反射）
２５・・・レーザー光の照射方向（Ｙ）
３１・・・バーコード
３１Ａ・・・バーコードの読み取り面
４１・・・機器設置盤
４２・・・機器設置盤内の正面設置機器
４３・・・機器設置盤内の右側面設置機器
【図１】
2013239135.tif 000003
【図２】
2013239135.tif 000004
【図３】
2013239135.tif 000005
【図４】
2013239135.tif 000006
【図５】
2013239135.tif 000007
【図６】
2013239135.tif 000008
【図７】
2013239135.tif 000009
【図８】
2013239135.tif 000010